(57)【要約】  【課題】収容された物品が外部にこぼれ落ち難く構成されているとともに使用者の使いやすさに優れた容器を提供する。  【解決手段】容器Ａは、底壁１１及び当該底壁１１の周縁から立設された周壁１２を有してなり底壁１１及び周壁１２によって物品である食品Ｆを収容し得る収容空間Ｓが形成された容器本体１と、周壁１２における後半部分１２ｒの上端縁から上方に延設された延出周壁２１及び当該延出周壁２１の上端縁から延設され少なくとも収容空間Ｓの後部領域ｓ２を上側から覆い得る天壁２２を有した補助被覆部２とを備える。このため収容された食品Ｆが外部にこぼれ落ち難く構成されているとともに使用者の使いやすさに優れた容器Ａを提供することができる。【選択図】図６
0003216592.tif 000002
【実用新案登録請求の範囲】
【請求項１】
板状をなし略水平に配された底壁及び当該底壁の周縁から立設された周壁を有してなり前記底壁及び前記周壁によって物品を収容し得る収容空間が形成された容器本体と、前記周壁における後半部分の上端縁から上方に延設された延出周壁及び当該延出周壁の上端縁から延設され少なくとも前記収容空間の後部領域を上側から覆い得る天壁を有した補助被覆部とを備えてなる容器。
【請求項２】
前記容器本体及び前記補助被覆部が合成樹脂により一体に形成されたものである請求項１記載の容器。
【請求項３】
前記底壁が平面視又は底面視において円形状をなしたものであり、前記周壁が円筒状をなしたものであり、前記延出周壁が半円筒状をなしたものであり、前記天壁が平面視又は底面視において半円形状をなしたものである請求項１又は２記載の容器。
【考案の詳細な説明】
【技術分野】
【０００１】
本考案は、種々の物品を収容し得る容器に関する。
【背景技術】
【０００２】
乳幼児等が使用するような容器として、従来から、収容された菓子等が外部にこぼれ落ち難く工夫されているものが種々存在している（例えば特許文献１参照）。
【０００３】
ところが、この種の容器は、複数の部品を有しこれらを組み合わせることにより作られているため構造が複雑なものとなっていた。
【０００４】
このような事情から、従来の容器に接した使用者は、その使い方を直感的に理解しにくく、とりわけ使用者が乳幼児である場合にはそのものを適切に使用することが難しい場合があった。しかも、この種の容器は、使用と洗浄とが繰り返されていくうちに、当該容器を構成する一部の部品が使用者によって壊されたり紛失されたりする場合があった。換言すれば、従来の容器は、必ずしも使用者の使い勝手に優れたものとは言えなかった。
【０００５】
なお、以上の事情は、乳幼児が使用する容器に限られたものではなく、乳幼児以外の人間が使用する場合であっても同様である。容器に収容される物品は、食べ物に限られず、食べ物以外の物品であっても同様である。
【先行技術文献】
【特許文献】
【０００６】
【特許文献１】特表２０１７−５３００６８号公報
【考案の概要】
【考案が解決しようとする課題】
【０００７】
本考案は、このような課題に着目してなされたものであって、収容された物品が外部にこぼれ落ち難く構成されているとともに使用者の使いやすさに優れた容器を提供することにある。
【課題を解決するための手段】
【０００８】
すなわち、本考案は次の構成をなしている。
【０００９】
請求項１に記載の考案は、板状をなし略水平に配された底壁及び当該底壁の周縁から立設された周壁を有してなり前記底壁及び前記周壁によって物品を収容し得る収容空間が形成された容器本体と、前記周壁における後半部分の上端縁から上方に延設された延出周壁及び当該延出周壁の上端縁から延設され少なくとも前記収容空間の後部領域を上側から覆い得る天壁を有した補助被覆部とを備えてなる容器である。
【００１０】
請求項２に記載の考案は、前記容器本体及び前記補助被覆部が合成樹脂により一体に形成されたものである請求項１記載の容器である。
【００１１】
請求項３に記載の考案は、前記底壁が平面視又は底面視において円形状をなしたものであり、前記周壁が円筒状をなしたものであり、前記延出周壁が半円筒状をなしたものであり、前記天壁が平面視又は底面視において半円形状をなしたものである請求項１又は２記載の容器である。
【考案の効果】
【００１２】
以上説明したように本考案によれば、収容された物品が外部にこぼれ落ち難く構成されているとともに使用者の使いやすさに優れた容器を提供することができるものとなる。
【図面の簡単な説明】
【００１３】
【図１】本考案の一実施形態を示す斜視図。
【図２】同実施形態における平面図。
【図３】同実施形態における正面図。
【図４】同実施形態における右側面。
【図５】同実施形態における背面図。
【図６】使用状態を説明するための斜視図。
【図７】使用状態を説明するための斜視図。
【考案を実施するための形態】
【００１４】
以下、本考案の一実施形態を、図１〜７を参照して説明する。
【００１５】
この実施形態は、本考案を、物品たる食品Ｆを収容するための容器Ａに適用したものである。この実施形態において説明する容器Ａは、主として乳幼児が自分で菓子や果物等の食品Ｆ（以下、単に「食品Ｆ」という。）を食べるために使用されるものである。
【００１６】
容器Ａは、その内部に食品Ｆが収容される収容空間Ｓが形成されている。容器Ａには、外部空間と収容空間Ｓとを連通させる開口部Ｋが設けられている。容器Ａを使用する乳幼児は、開口部Ｋから収容空間Ｓに手を入れて、当該収容空間Ｓに収容された食品Ｆを自由に把持することができるようになっている。
【００１７】
以下、容器Ａについて詳述する。
【００１８】
容器Ａは、板状をなし略水平に配された底壁１１、及び、当該底壁１１の周縁から立設された周壁１２を有してなり、底壁１１、及び、周壁１２によって物品である食品Ｆを収容し得る収容空間Ｓが形成された容器本体１を備えている。更に、容器Ａは、周壁１２における後半部分１２ｒの上端縁ｒｅから上方に延設された延出周壁２１、及び、当該延出周壁２１の上端縁から水平方向に延設され収容空間Ｓの後部領域ｓ２すなわち収容空間Ｓにおける周壁１２の後半部分１２ｒに囲まれた領域を上側から覆い得る天壁２２を有した補助被覆部２を備えている。容器Ａを構成する容器本体１と補助被覆部２とは、合成樹脂により一体に形成されている。
【００１９】
なお、周壁１２における後半部分１２ｒの「上端縁ｒｅ」については、説明の便宜上、図１及び図４において、二点鎖線（仮想線）により明示している。
【００２０】
まず、容器Ａを構成する容器本体１について説明する。
【００２１】
容器本体１は、容器Ａにおける下部を構成している。容器本体１は、食品Ｆを収容し得る収容空間Ｓが形成され得る形態をなしている。すなわち、容器本体１は、平面視又は底面視において円形状をなした底壁１１と、底壁１１における外周縁から上方に向けて延出され略円筒状に形成された周壁１２とを備えている。
【００２２】
底壁１１は、下面側が天板等の載置面（図示せず）に接し得るようになっている。底壁１１は、収容空間Ｓに収容された食品Ｆを下から支持する役割を担っている。周壁１２は、収容空間Ｓに収容された食品Ｆを外側方から移動規制し得るものであり、当該食品Ｆが外部にこぼれ落ちるのを抑制する役割を担っている。
【００２３】
周壁１２における前半部分１２ｆの上端縁ｆｅは外部に露出している。周壁１２における後半部分１２ｒの上端縁ｒｅからは延出周壁２１が一体に立設されている。
【００２４】
収容空間Ｓは、周壁１２の前半部分１２ｆにより囲まれた領域たる前部領域ｓ１と、周壁１２の後半部分１２ｒに囲まれた領域である後部領域ｓ２とを有している。前部領域ｓ１の上は、補助被覆部２に覆われていない。後部領域ｓ２の上は、補助被覆部２により覆われている。
【００２５】
続いて、容器Ａを構成する補助被覆部２について説明する。
【００２６】
補助被覆部２は、容器Ａにおける上部を構成している。補助被覆部２は、容器本体１の後部を覆う形態をなしている。補助被覆部２は、例えば乳幼児による取り扱いによって容器Ａ全体の姿勢が図６に示すような通常姿勢（Ｍ）から図７に示すような転倒姿勢（Ｎ）に変化したときに、容器本体１に収容された食品Ｆがこぼれ落ちてしまうのを抑制し得る役割も担っている。
【００２７】
延出周壁２１は、周壁１２における後半部分１２ｒの上端縁ｒｅから上方に延出してなるものである。延出周壁２１は、半円筒状をなしている。
【００２８】
天壁２２は、容器本体１における収容空間Ｓの後部、すなわち、収容空間Ｓにおいて周壁１２の後半部分１２ｒに囲まれている領域である後部領域ｓ２を上側から覆い得るものとなっている。換言すれば、天壁２２は、延出周壁２１により囲まれた空間２１ｓとともに収容空間Ｓの後部を上側から覆い得るものとなっている。天壁２２は、延出周壁２１に連続して設けられたものであり、平面視又は底面視において半円形状をなしている。
【００２９】
容器Ａにおける収容空間Ｓと外部空間とを連通し得る開口部Ｋは、周壁１２における前半部分１２ｆの上端縁ｆｅ、延出周壁２１における左右の前端縁である上下方向に延びた露出端縁２１ｅ、及び、天壁２２の前端縁である左右方向に延びた露出端縁２２ｅとによって構成されている。なお、開口部Ｋを構成する各端縁ｆｅ、２１ｅ、２２ｅには、使用者に対する滑らかな接触を確保するために、必要に応じてカバー部材（図示せず）を設けるようにしてもよい。例えば、カバー部材は、ゴム等のクッション性を有した合成樹脂製のものであり、開口部Ｋを構成する各端縁ｆｅ、２１ｅ、２２ｅに対して着脱可能に外嵌し得る凹陥部分を有したものが考えられる。
【００３０】
続いて、乳幼児による容器Ａの使用態様の一例について、特に図６及び図７を参照して説明する。
【００３１】
基本的に容器Ａは、図６に示すように、通常姿勢（Ｍ）すなわち底壁１１の下面が天板等の載置面に接し得る状態で使用される。容器Ａを使用する乳幼児は、自らの手Ｈを開口部Ｋから収容空間Ｓ内に入れることによって、容器本体１に収容された食品Ｆを自由につかみ取って食べることができるようになっている。
【００３２】
その一方で、乳幼児は判断力が未熟であるため、乳幼児から見て手前に位置している周壁１２の前半部分１２ｆを把持し、その把持したままの状態で容器Ａを動かし、ときには、当該容器Ａを大きく傾けたり振り回したりすることがある。
【００３３】
例えば、図７に示すように、乳幼児が、周壁１２の前半部分１２ｆを把持したまま、食品Ｆを収容した状態の容器Ａを通常姿勢（Ｍ）から容器本体１の後部が下になるように約９０°倒した転倒姿勢（Ｎ）に変えてしまうことがある。このような場合、当初の通常姿勢（Ｍ）において容器本体１の収容空間Ｓに収容されていた食品Ｆは、容器Ａが転倒姿勢（Ｎ）に遷移した結果、補助被覆部２における延出周壁２１と周壁１２における後半部分１２ｒとによって下方から支持される（食品Ｆの下受けとなる）とともに底壁１１と天壁２２とによって外側方への移動が規制されることになる。つまり、容器Ａは、乳幼児による取り扱いによって転倒姿勢（Ｎ）をなした場合であっても、食品Ｆが外部にこぼれ落ち難くなっている。このため、本実施形態に示す容器Ａであれば、落下した食品Ｆによって床面等を汚すようなことが少なくなり、保護者等によって床面等を清掃する回数も減少させ得るものとなっている。
【００３４】
このように、本実施形態に係る容器Ａは、板状をなし略水平に配された底壁１１及び当該底壁１１の周縁から立設された周壁１２を有してなり底壁１１及び周壁１２によって物品である食品Ｆを収容し得る収容空間Ｓが形成された容器本体１と、周壁１２における後半部分１２ｒの上端縁ｒｅから上方に延設された延出周壁２１及び当該延出周壁２１の上端縁から延設され少なくとも収容空間Ｓにおける周壁１２の後半部分１２ｒに囲まれた領域たる後部領域ｓ２を上側から覆い得る天壁２２を有した補助被覆部２とを備えてなる。このため、収容された食品Ｆが外部にこぼれ落ち難く構成されているとともに使用者が使いやすい形態をなす容器Ａを提供することができる。
【００３５】
つまり、容器Ａは、容器本体１と補助被覆部２とによって構成されたシンプルな形態をなしている。このため、容器Ａは、乳幼児を含む使用者に使い方を直感的に理解させ得るものとなっている。また、前述したとおり、乳幼児が容器本体１における周壁１２の前半部分１２ｆの縁部を把持して、容器Ａ全体を傾けてしまったような場合であっても、容器本体１と補助被覆部２とが協働して、収容された食品Ｆが外部にこぼれ落ち難いものとなっている。
【００３６】
この結果、乳幼児によって食品Ｆが床面等に散らかってしまうようなことが好適に抑制されることになり、保護者による清掃等の作業負担も軽減され得るものとなっている。
【００３７】
また、本実施形態に示すような容器Ａであれば、食品Ｆが外部にこぼれ落ち難くなっているため、例えば、自動車内などの載置面が不安定な状況においても食品Ｆを収容し得るものとして好適に利用することができる。
【００３８】
なお、本実施形態に示す容器Ａは、補助被覆部２が食品Ｆをすくい上げる際の補助機能も発揮し得る。すなわち、使用者がスプーンやフォークを使用して収容空間Ｓ内の食品Ｆをすくい上げるような場合に、補助被覆部２の延出周壁２１が補助壁（裏当て）として機能し、すくい上げようとする食品Ｆをスプーンやフォークの上に誘導し得るものとなっている。
【００３９】
容器本体１及び補助被覆部２が合成樹脂により一体に形成されたものであるため、剛性に優れたものとなっている。しかも、容器Ａが合成樹脂により一体に作られたものであるため、使用と洗浄とを繰り返しても一部の部品が紛失したり破損したりするようなことがなく。管理やメンテナンスを好適に実行し得るものとなっている。換言すれば、容器Ａは、壊れにくいものであり、且つ、破損や部分的な紛失も起こりにくいものであるため、使用者又は保護者の使い勝手に優れたものとなっている。
【００４０】
また、容器Ａは、底壁１１が平面視又は底面視において円形状をなしたものであり、周壁１２が円筒状をなしたものであり、延出周壁２１が半円筒状をなしたものであり、天壁２２が平面視又は底面視において半円形状をなしたものとなっている。このため、容器Ａは、過度に尖った部分を生じにくくするための設計の自由度に優れたものとなっており、乳幼児が安心して使用し得る形態を提供し得るものとなっている。
【００４１】
なお、本考案は、以上に詳述した実施形態に限られるものではない。
【００４２】
容器は、乳幼児が使用するものに限られるものではなく、乳幼児以外の人間が使用するものであってもよい。
【００４３】
容器に収容される物品は食品に限られるものではない。物品は、収容空間に収容され得るものであればどのようなものであってもよい。物品は、固体状のものに限られず、液体状のものであってもよいのはもちろんのことである。
【００４４】
容器本体や補助被覆部の材質は合成樹脂に限られるものではなく金属製のものであってもよいし紙製のものであってもよい。
【００４５】
また、容器本体と補助被覆部とは必ずしも一体に形成されたものでなくてもよい。例えば、容器本体と補助被覆部とをそれぞれ別個に形成し、その後、当該容器本体及び補助被覆部とを、種々の手段により連結又は接着させるように構成してもよい。
【００４６】
底壁は円形状をなしたものに限られるものではない。例えば、底壁が矩形状をなしたものであってもよい。したがって、周壁も円筒状をなしたものに限られるものではなく、角筒状をなしたものであってもよい。延出周壁も、半円筒状をなしたものに限られるものではなく、半角筒状をなしたものであってもよい。天壁も、平面視又は底面視において半円形状をなしたものに限られるものではなく、矩形状をなしたものであってもよい。
【００４７】
底壁、周壁、延出周壁、及び、天壁は、全体として壁としての機能をなしているものであればよく、小径の連通孔が複数設けられたようなものであってもよいし、全体が網目状をなしているものであってもよい。
【００４８】
その他、各部の具体的構成についても上記実施形態に限られるものではなく、本考案の趣旨を逸脱しない範囲で種々変形が可能である。
【符号の説明】
【００４９】
Ａ…容器
１…容器本体
２…補助被覆部
１１…底壁
１２…周壁
２１…延出周壁
２２…天壁
Ｆ…食品
Ｓ…収容空間
【図１】
0003216592.tif 000003
【図２】
0003216592.tif 000004
【図３】
0003216592.tif 000005
【図４】
0003216592.tif 000006
【図５】
0003216592.tif 000007
【図６】
0003216592.tif 000008
【図７】
0003216592.tif 000009